(57)【要約】【課題】  回転磁気ヘッドドラム装置内部での発熱に対し、部品数を増加させることなく、冷却効果を得ることである。【解決手段】  回転ドラム２に搭載した磁気ヘッド１と内蔵回路基板１０との間にフレキシブル基板１３を用いて結線し、フレキシブル基板１３を９０度以上の角度でひねり配置することにより、空気の流れを加速させ、装置内部から発生する発熱を外部に導き、温度上昇を防ぐ。【選択図】  図８
2005310290.tif 000002
【特許請求の範囲】
【請求項１】
上固定ドラムと下固定ドラムを対向させて配置し、該両ドラム間に回転自在の中回転ドラムを配置し、該中回転ドラムの前記下固定ドラム側に磁気ヘッドを取り付け、ドラムの外周面に巻回された磁気テープに前記磁気ヘッドを用いて記録再生を行う回転磁気ヘッドドラム装置において、
前記中回転ドラムの前記上固定ドラム側には一体で回転する回路基板を配置し、
前記中回転ドラムに貫通孔を設け、該貫通孔を貫通するフレキシブル基板を配置し、
該フレキシブル基板は一端を前記磁気ヘッドに接続し、他端を前記回路基板のコネクタに接続するとともに、前記フレキシブル基板の基板面を９０度以上ひねって配置したことを特徴とする回転磁気ヘッドドラム装置。
【請求項２】
前記上固定ドラムの上部端面部に、ドラム外部との通風孔を設けたことを特徴とする請求項１に記載の回転磁気ヘッドドラム装置。
【請求項３】
前記中回転ドラムの回転により、前記ドラムの内部と外部との間で空気の循環を発生させ、空気を前記回路基板上面に流すことを特徴とする請求項２に記載の回転磁気ヘッドドラム装置。
【請求項４】
前記上固定ドラム内部に、回転駆動用のモータを内蔵したことを特徴とする請求項１に記載の回転磁気ヘッドドラム装置。
【請求項５】
前記フレキシブル基板の前記コネクタへの挿入方向を、接線方向よりも外側に向かう方向にしたことを特徴とする請求項１に記載の回転磁気ヘッドドラム装置。
【請求項６】
下固定ドラムとこれに対向し回転自在の回転ドラムを配置し、該回転ドラムの下面側に磁気ヘッドを取り付け、ドラムの外周面に巻回された磁気テープに前記磁気ヘッドを用いて記録再生を行う回転磁気ヘッドドラム装置において、
前記回転ドラムの上面側には一体で回転する回路基板を配置し、
前記回転ドラムに貫通孔を設け、該貫通孔を貫通するフレキシブル基板を配置し、
該フレキシブル基板は一端を前記磁気ヘッドに接続し、他端を前記回路基板のコネクタに接続するとともに、前記フレキシブル基板の基板面を９０度以上ひねって配置したことを特徴とする回転磁気ヘッドドラム装置。
【請求項７】
前記磁気ヘッドは台座の一端に接着固定され、前記台座は前記回転ドラムの下面にねじ締結されており、前記フレキシブル基板はその中継部が前記台座の横幅より小なる幅であることを特徴とする請求項１または６に記載の回転磁気ヘッドドラム装置。
【請求項８】
前記フレキシブル基板は、一端が複数の磁気ヘッドに接続され、他端が前記回路基板の１個のコネクタに接続されていることを特徴とする請求項６に記載の回転磁気ヘッドドラム装置。
【発明の詳細な説明】
【技術分野】
【０００１】
本発明は、高密度記録、高レート記録を行うディジタルＶＴＲや業務用ＶＴＲに好適な回転磁気ヘッドドラム装置に関するものである。
【背景技術】
【０００２】
昨今の情報機器のディジタル化に伴い、伝送速度の高速化及び情報量増加への対応のため、ＶＴＲの記録レートは飛躍的に増加している。高い記録レートを実現するため、磁気ヘッドドラム回転数の増加、記録信号の短波長化や記録チャンネルの多チャンネル化といった方法が採用されている。また装置の小形化のために高密度記録すると再生信号が微弱化するので、回転ドラム上に前置増幅器等の回路部品を内蔵させる必要がある。このような回転磁気ヘッドドラム装置の構造としては、例えば特許文献１、２に示されるものがある。
【０００３】
【特許文献１】特開平４−３５８３１４号公報
【特許文献２】特開平８−２５５３２４号公報
【発明の開示】
【発明が解決しようとする課題】
【０００４】
回転ドラムに内蔵する回路部品は多数個の磁気ヘッドに対応するため発熱が大きく、冷却する技術が必要になる。またモータが内蔵される場合が多くなったにもかかわらず、装置の小形化のため、冷却専用の部品を追加することは困難であった。
【０００５】
特許文献１によればモータが内蔵されていて、かつ上ドラムで密閉構造になっているが、発熱に対する特別の冷却手段をもたない。また特許文献２によれば、モータは外部に出ているため、全高が高く装置の小形化を阻害している。また冷却させるために中心軸に穴を設ける構造になっているが、そのため構造が複雑となる。
【０００６】
本発明の目的は、回転磁気ヘッドドラム装置内部での発熱を部品数を増加させることなく、外部に導き、冷却効果を得ることである。
【課題を解決するための手段】
【０００７】
本発明者らは、回転ドラムでの空気の流れ現象を解析し、空気の流入位置と排出位置を調べた結果、空気は回転の中心に近いところから入り、外周部から出ることを確認した。この現象を利用することにより、ドラム搭載部品を有効に設計配置して、所定の方向に空気の流れを発生させ、熱を外部に導き、冷却効果を得ることができる。
【０００８】
本発明は、磁気ヘッドを搭載した中回転ドラム方式において、中回転ドラムの上固定ドラム側には一体で回転する回路基板を配置し、中回転ドラムに貫通孔を設け、該貫通孔を貫通するフレキシブル基板を配置し、フレキシブル基板は一端を前記磁気ヘッドに接続し、他端を前記回路基板のコネクタに接続するとともに、前記フレキシブル基板の基板面を９０度以上ひねって配置した。さらに、上固定ドラムの上部端面部に通風孔を設けた。回転によりドラムの内部と外部との間で空気の循環を発生させ、空気を前記回路基板上面に流すことにより前記回路基板を空冷する。前記フレキシブル基板を９０度以上ひねることは、回転方向に対し空気を押すフレキシブル基板の幅がフレキシブル基板の幅に（最大に）なる部分があるからで、空気流量に最も効果が大である。
【０００９】
また、前記上固定ドラム内部に回転駆動用のモータを内蔵することにより装置を小形化し、かつモータからの発熱も外部に導くものである。
【００１０】
また前記フレキシブル基板の前記コネクタへの挿入方向を接線方向より外側に向かう方向にし、遠心力により前記コネクタへの挿入を確実にするものである。
【００１１】
本発明は、回転ドラムに内蔵された回路基板にはフレキシブル基板用コネクタが具備されていて、磁気ヘッドは台座の一端に接着固定され、前記台座の横幅より小なる幅で一端は前記磁気ヘッドに接続されたフレキシブル基板が前記台座に接着固定され、前記回転ドラムに前記磁気ヘッドに対して後方側に貫通孔を設け、前記フレキシブル基板の他端を前記貫通孔に通し、前記回路基板の前記コネクタに接続されているものである。
【００１２】
また、一端が複数の磁気ヘッドに接続されたフレキシブル基板において、他端が内蔵回路基板の１個のコネクタに接続されているものである。
【００１３】
上記した構成の回転磁気ヘッドドラム装置において、上固定ドラムの上部端面部に通風孔を設けることにより、回転により前記ドラムの内部と外部との間で空気の循環を発生させ、磁気ヘッド１の近傍の隙間から外部に遠心力により押し出される。
【００１４】
さらにフレキシブル基板を９０度以上ひねることにより、中回転ドラムの貫通孔の空気にうず流れを発生させて、空気の流れを加速させることが出来る。これは細口ビンの中の水をすばやく流し出すとき、ビンを回し、水流に回転を与えてうず流れを発生させると、水が勢い良く排出することと同じ現象である。すなわちフレキシブル基板は本来信号の伝達用であるが、貫通孔内の空気の流れを加速させる作用もある。以上の結果、空気は回路基板上面に流れ、冷却効果を高めることができる。
【００１５】
また前記上固定ドラム内部に回転駆動用のモータを内蔵することにより装置を小形化し、かつモータからの発熱も外部に導くものである。
【００１６】
またフレキシブル基板のコネクタへの挿入方向を接線方向より外側に向かう方向にしたので、回転による遠心力により、フレキシブル基板にはコネクタへの挿入方向の力が発生するので、フレキシブル基板はコネクタから抜けることはない。フレキシブル基板を台座の横幅より小なる幅にしたので、磁気ヘッドの突出量等の位置調整時、フレキシブル基板は調整の阻害要因にはならない。上記により回転磁気ヘッドドラム装置内部の熱せられた空気を排出させることが出来る。
【００１７】
また一端が複数の磁気ヘッドに結線されたフレキシブル基板においても、他端を内蔵回路基板の１個のコネクタに結線させることができるので、少ない面積でマルチヘッド化（多チャンネル化）に対応することができる。
【００１８】
また磁気ヘッドからの回路基板への接続にフレキシブル基板用コネクタを用いたので、半田付け作業は無く、組立作業中に装置を汚すことが無い。
【発明の効果】
【００１９】
回転磁気ヘッドドラム装置内部での温度上昇を抑え、信頼性の高い装置を提供することができる。
【発明を実施するための最良の形態】
【００２０】
回転ドラム上に搭載した磁気ヘッドと回路基板との間にフレキシブル基板を用いて結線し、空気の流れを導く部分にフレキシブル基板を９０度以上の角度でひねり通す構成とした。以下その実施例を図面を用いて説明する。
【実施例１】
【００２１】
図１は本発明による回転磁気ヘッドドラム装置の第１実施例の縦断面図である。本実施例は磁気ヘッド１を搭載した中回転ドラム２が回転し、これを下固定ドラム３と上固定ドラム４とで挟み込む構造である。図２は、図１から上固定ドラム４，モータ部１２ａ，１２ｂ，１２ｃ，及び動的平衡修正用円板１７を取り除いた状態の部分上面図である。なお図１の断面部は、図２のＸＸ方向の断面を示す。
【００２２】
軸７は下固定ドラム３に圧入されている。中回転ドラム２には、磁気ヘッド１が搭載されており、軸７を中心として、所定の回転数に制御されて回転する。予圧金具５が止めネジ９により軸７に固定されていて、玉軸受６ａ、６ｂに予圧を与えている。１２ａはモータロータで中回転ドラム２の上端面部に取り付けられている。１２ｂはモータコイルであり、１２ｃはモータステータである。上固定ドラム４は予圧金具５の上端面にモータステータ１２ｃと共にねじ締結されている。中回転ドラム２には、回路基板１０が回路基板取付ねじ１０ａにより取り付けられている。
【００２３】
回路基板１０には、コネクタ１１が搭載されている。磁気ヘッド１とコネクタ１１（１１Ａ，１１ｂ，１１ｃ，１１ｄ）とは、フレキシブル基板１３（１３ａ，１３ｂ，１３ｃ，１３ｄ）にて接続されている。その際、フレキシブル基板１３は、途中で９０度以上ひねられて配設される。
【００２４】
また回路基板１０には、回転トランス接続用コネクタ１５が搭載されており、回転トランス８ａからの回転トランスフレキシブル基板１４が接続されている。
【００２５】
記録時の入力信号は回転トランスステータ８ｂから回転トランスロータ８ａに伝達され、回転トランスフレキシブル基板１４、及び回転トランス接続用コネクタ１５を介して回路基板１０に入力される。さらに信号は回路基板１０で処理された後、コネクタ１１からフレキシブル基板１３を通り、磁気ヘッド１に供給されて、磁気テープ（図示せず）に記録される。再生時は、磁気ヘッド１で再生された信号を、前記の逆の工程で伝送する。
【００２６】
次に図３ないし図７を用いて本発明の第１実施例の部品構造を説明する。
図３は本発明の第１実施例に搭載されている回路基板であり、集積回路１６ａ，１６ｂ，１６ｃが搭載されていて、内径部には切り欠き１０ｂがあり、フレキシブル基板１３が通される。また調整工具通し穴１０ｃが設けられており、回路基板１０が中回転ドラム２に取り付けられた後も、ヘッド高さ調整ができる。
【００２７】
図４は、台座１ａに磁気ヘッド１とフレキシブル基板１３が接着固定された状態の側面図である。
【００２８】
図５は、図４を下から見た平面図である。台座１ａの側面の台座側面１ｂと台座側面１ｃは、磁気ヘッドの突出量等の位置調整時、調整装置の爪ではさまれる部分である。フレキシブル基板幅Ｗｆを台座横幅Ｗａより小なる幅にしたので、フレキシブル基板は調整の阻害要因にはならない。フレキシブル基板１３のコネクタ１１に接続される部分にはフレキシブル基板コネクタ接触面１３ｆがあり、その裏面には補強板１３ｅが設けられている。フレキシブル基板幅Ｗｎは貫通孔２ｂを通す部分であるので、狭くなっている。
【００２９】
図６は図１の中回転ドラム２の平面図で、図７は図６の中回転ドラム２のＹＹ断面図である。２ｂはフレキシブル基板１３を通す貫通孔である。
【００３０】
図８は図１の部分拡大図であり、本発明の第１実施例の風向を表した断面図である。回転により前記ドラムの内部と外部との間で空気の循環を発生させ、空気は上固定ドラム４の上部端面部の通風孔４ａから吸い込まれ、磁気ヘッド１の近傍の隙間から外部に遠心力により押し出される。途中の貫通孔２ｂ内ではフレキシブル基板１３がひねられているので、空気にうず流れが生じ、空気の流れを加速させる作用がある。
【００３１】
図９は、図８のフレキシブル基板１３付近の風向説明図である。
【実施例２】
【００３２】
図１０は、本発明による回転磁気ヘッドドラム装置の第２実施例の縦断面図である。第２実施例は磁気ヘッド１が搭載された上部回転ドラム１７と、下部固定ドラム３とが対向する構造である。この場合も、フレキシブル基板１３のひねり配置により、空気にうず流れが生じ、矢印１８のごとく空気の流れを加速させる作用がある。
【産業上の利用可能性】
【００３３】
回転磁気ヘッド型磁気記録再生装置の中で、特に高速回転、高密度記録を行うディジタルＶＴＲ、ディジタルＶＴＲカメラ、放送業務用ＶＴＲ等に利用できる。
【図面の簡単な説明】
【００３４】
【図１】本発明による回転磁気ヘッドドラム装置の第１実施例の縦断面図である。
【図２】図１の部分上面図。
【図３】第１実施例における回路基板。
【図４】第１実施例における磁気ヘッド部の側面図。
【図５】図４を下方から見た平面図。
【図６】第１実施例における中回転ドラムの平面図。
【図７】図６のＹＹ断面図。
【図８】図１の部分拡大図であり、第１実施例の風向説明図。
【図９】図８のフレキシブル基板１３付近の風向説明図。
【図１０】本発明による回転磁気ヘッドドラム装置の第２実施例の縦断面図である。
【符号の説明】
【００３５】
１・・・磁気ヘッド
１ａ・・・台座
１ｂ，１ｃ・・・台座側面
２・・・中回転ドラム
２ｂ・・・貫通孔
３・・・下固定ドラム
４・・・上固定ドラム
４ａ・・・通風孔
５・・・予圧金具
６ａ，６ｂ・・・玉軸受
７・・・軸
８ａ・・・回転トランスロータ
８ｂ・・・回転トランスステータ
９・・・止めネジ
１０・・・回路基板
１０ａ・・・回路基板取付ねじ
１０ｂ・・・切り欠き
１０ｃ・・・調整工具通し穴
１１，１１ａ，１１ｂ，１１ｃ，１１ｄ・・・コネクタ
１２ａ・・・モータロータ
１２ｂ・・・モータコイル
１２ｃ・・・モータステータ
１３，１３ａ，１３ｂ，１３ｃ，１３ｄ・・・フレキシブル基板
１３ｅ・・・補強板
１３ｆ・・・フレキシブル基板コネクタ接触面
１４・・・回転トランスフレキシブル基板
１５・・・回転トランス接続用コネクタ
１６ａ、１６ｂ、１６ｃ・・・集積回路
１７・・・回転ドラム
１８・・・風向
１９・・・回転方向
【図１】
2005310290.tif 000003
【図２】
2005310290.tif 000004
【図３】
2005310290.tif 000005
【図４】
2005310290.tif 000006
【図５】
2005310290.tif 000007
【図６】
2005310290.tif 000008
【図７】
2005310290.tif 000009
【図８】
2005310290.tif 000010
【図９】
2005310290.tif 000011
【図１０】
2005310290.tif 000012